(57)【要約】【課題】原稿台の大きさよりも大きな原稿シートであっても、該原稿シート上の画像情報を読み取ることが可能な原稿読取装置を提供する。【解決手段】ユーザがＡＤＦ上に載置した原稿シート９は、原稿シート搬送ローラ８により、原稿台６の横手方向一端側から他端側に向けて搬送される。読取ヘッド３は、そのホームポジションにて固定される。原稿シート９の搬送方向始端側が検知されると、ＣＣＤ７による原稿シート９上の画像情報の読取りが１ラインずつ行われる。読み取った画像情報は、コントローラ２に出力される。この動作は、原稿シート９の搬送方向終端側が原稿シート検知センサ４により検知されるまでの間、継続される。【選択図】図４
2007208907.tif 000002
【特許請求の範囲】
【請求項１】
略矩形状を呈する原稿台と、
前記原稿台の長手方向に沿って配置され、前記原稿台の横手方向に往／復動自在な読取ヘッド機構と、
前記原稿台上に載置された原稿シートの大きさが所定サイズを超える場合に、該原稿シートを前記原稿台の横手方向に移動させるための原稿シート搬送機構と、
前記読取ヘッド機構、及び前記原稿シート搬送機構を制御する制御手段と、
前記読取ヘッド機構が、前記原稿シートの情報を読み取るに際して、ユーザにより選択可能な複数のモードと
を備え、前記制御手段が、前記読取ヘッド機構による前記原稿シートの情報読み取りに際して、ユーザにより選択されたモードに応じて前記読取ヘッド機構を所定位置にて固定させるか、又は前記原稿台の横手方向に沿って往／復動作させるようにした原稿読取装置。
【請求項２】
請求項１記載の原稿読取装置において、
前記ユーザにより選択されるモードが、前記原稿シートの情報を高速で読み取るための第１のモードと、
前記原稿シートの情報を高い精度で読み取るための第２のモードと、を含む原稿読取装置。
【請求項３】
請求項１又は請求項２記載の原稿読取装置において、
ユーザが前記第２のモードを選択した場合に、前記制御手段が、前記読取ヘッド機構を前記原稿台の横手方向に沿って往／復動作させると共に、前記原稿シート搬送機構の駆動を、必要に応じて断／続させるようにした原稿読取装置。
【請求項４】
請求項１記載の原稿読取装置において、
ユーザが前記第２のモードを選択した場合に、前記制御手段が、前記読取ヘッド機構の移動距離と同一か、又はそれより若干短い距離だけ前記原稿シートが移動するよう、前記原稿シート搬送機構を制御すると共に、前記読取ヘッド機構が、前記原稿シートの移動前に読み取った情報と一部が重複するように前記原稿シートの移動後に前記原稿シートの情報を読み取って、重複した読み取り部分の画像が一致するよう、読取画像の合成を行う原稿読取装置。
【発明の詳細な説明】
【技術分野】
【０００１】
本発明は、原稿シートから画像情報を読み取るための原稿読取装置に関し、特に、所定のサイズより大きい原稿シートから画像情報を読み取るための技術に関する。
【背景技術】
【０００２】
従来、画像処理装置において、使い勝手が良く、装置全体をコンパクトにでき、原稿の読み取り、記録、コピー動作を効率的に行うことができることを目的とした装置が提案されている。
【０００３】
上記提案に係る画像処理装置は、原稿上の画像情報を読み取るためのスキャナと、このスキャナに回転軸を介して回転可能に連結され、記録シートに上記画像情報を印刷するプリンタとを備えた構成になっている（例えば、特許文献１参照）。
【特許文献１】特開２００２−３２６４２３号公報
【発明の開示】
【発明が解決しようとする課題】
【０００４】
上記画像処理装置では、原稿台上に載置した原稿シートの画像情報を原稿台の下方に位置する（画像処理装置内部に設けられた）スキャナを原稿台の長手方向に沿って往復動作させることで読み取るように構成されていた。
【０００５】
そのため、原稿シートの大きさが、原稿台の大きさとほぼ等しいか、それより小さい場合には問題は生じない。
【０００６】
しかし、原稿シートの大きさが、例えば、Ａ３サイズまたはそれ以上（以下、「大版サイズ」という）の場合には、原稿台上に原稿シートの全体を載置しきれないため、そのままでは上記大版サイズの原稿シートから画像情報を読み取るためには、原稿シートのサイズの大きさに応じた原稿台が必要となり、それにより画像処理装置も大型化せざるを得なくなるという問題点があった。
【０００７】
従って本発明の目的は、原稿台の大きさよりも大きな原稿シートであっても、該原稿シート上の画像情報を読み取ることが可能な原稿読取装置を提供することにある。
【課題を解決するための手段】
【０００８】
本発明に従う原稿読取装置は、略矩形状を呈する原稿台と、上記原稿台の長手方向に沿って配置され、上記原稿台の横手方向に往／復動自在な読取ヘッド機構と、上記原稿台上に載置された原稿シートの大きさが所定サイズを超える場合に、該原稿シートを上記原稿台の横手方向に移動させるための原稿シート搬送機構と、上記読取ヘッド機構、及び上記原稿シート搬送機構を制御する制御手段と、上記読取ヘッド機構が、上記原稿シートの情報を読み取るに際して、ユーザにより選択可能な複数のモードとを備え、上記制御手段が、上記読取ヘッド機構による上記原稿シートの情報読み取り際して、ユーザにより選択されたモードに応じて上記読取ヘッド機構を所定位置にて固定させるか、又は上記原稿台の横手方向に沿って往／復動作させるようにしている。
【０００９】
本発明に係る好適な実施形態では、上記ユーザにより選択されるモードは、上記原稿シートの情報を高速で読み取るための第１のモードと、上記原稿シートの情報を高い精度で読み取るための第２のモードと、を含んでいる。
【００１０】
上記とは別の実施形態では、ユーザが上記第２のモードを選択した場合に、上記制御手段が、上記読取ヘッド機構を上記原稿台の横手方向に沿って往／復動作させると共に、上記原稿シート搬送機構の駆動を、必要に応じて断／続させるようにしている。
【００１１】
また、上記とは別の実施形態では、ユーザが上記第２のモードを選択した場合に、上記制御手段が、上記読取ヘッド機構の移動距離と同一か、又はそれより若干短い距離だけ上記原稿シートが移動するよう、上記原稿シート搬送機構を制御すると共に、上記読取ヘッド機構が、上記原稿シートの移動前に読み取った情報と、一部が重複するように上記原稿シートの移動後に上記原稿シートの情報を読み取って、重複した読み取り部分の画像が一致するよう、読取画像の合成を行うようにしている。
【発明の効果】
【００１２】
本発明によれば、原稿台の大きさよりも大きな原稿シートであっても、該原稿シート上の画像情報を読み取ることが可能な原稿読取装置を提供することができる。
【発明を実施するための最良の形態】
【００１３】
以下、本発明の実施の形態を、図面により詳細に説明する。
【００１４】
図１は、本発明の一実施形態に係る原稿読取装置の要部の構成を示す概略の平面図である。
【００１５】
図１において、上記原稿読取装置１は、コントローラ２と、読取ヘッド３と、複数の原稿シート検知センサ４と、ガイドレール５と、原稿台６と、イメージセンサ７と、原稿シート搬送ローラ８とを備える。上記構成に加えて、原稿読取装置１は、原稿抑え版及び原稿シート自動送り装置（例えば、「Auto Document Feeder」以下「ＡＤＦ」という）（いずれも図示しない）も備える。
【００１６】
原稿台６は、原稿シートを載置するためのガラス面を有し、原稿読取装置１の上面に設けられている。上記原稿抑え板（図示しない）は、原稿台６上に載置される原稿シート９を固定するためのもので、原稿台６と同様に、原稿読取装置１の上面に設けられている。
【００１７】
ＡＤＦ（図示しない）も、原稿台６や上記原稿抑え板（図示しない）と同様に、原稿読取装置１の上面に設けられている。ＡＤＦ（図示しない）は、原稿シート９の搬送を自動的に、かつ、連続的に行うことが可能であり、原稿読取装置１本体に対し、脱着自在に構成されている。
【００１８】
なお、原稿シート搬送ローラ８は、上記ＡＤＦ（図示しない）の構成の一部であり、原稿シート搬送ローラ８は、図１において、矢印Ｙ方向に原稿シート９を搬送するよう構成されている。
【００１９】
ガイドレール５は、原稿台６の横手方向（即ち、図１におけるＺ−Ｚ’方向）の一端側及び他端側に、それら端部に沿ってそれぞれ配置されており、Ｚ−Ｚ’方向に往復移動する読取ヘッド３をガイドするよう、構成されている。
【００２０】
読取ヘッド３は、図１に記載されている位置、即ち、原稿台６上のＺ−Ｚ’方向の一端側（Ｚ側）をホームポジションとして、Ｚ−Ｚ’方向にガイドレール５によってガイドされて往復移動するよう、構成されている。
【００２１】
読取ヘッド３は、例えば、動力伝達機構である搬送ベルト機構（図示しない）を介して、正／逆回転自在なモータ（図示しない）からの回転駆動力によって往復動作する。読取ヘッド３の上面には、原稿台６上の原稿シート９に光を照射するための光源（図示しない）が設けられており、読取ヘッド３の内部には、原稿シート９からの反射光を受光するためのイメージセンサ７がライン状に配置されている。
【００２２】
イメージセンサ７には、例えば、電荷結合素子（Charge Coupled Device）（以下「ＣＣＤ」という）が採用されている。
【００２３】
原稿シート検知センサ４には、例えば、光学センサ（フォトカプラ）が採用されている。
【００２４】
原稿シート検知センサ４は、発光素子であるＬＥＤから原稿シート９方向へ光を照射し、受光素子であるフォトトランジスタからの出力信号により、原稿シート９の有無を検知する。換言すれば、受光素子からの出力信号が所定値以下になったことで、原稿シート９の始／終端部の通過を検知する。
【００２５】
図２は、原稿読取装置１が備えるコントローラ２の構成を示す機能ブロック図である。
【００２６】
図２に示すように、コントローラ２は、Ｉ／Ｏインタフェース部２１と、ＣＰＵ２２と、ＲＯＭ２３と、イメージメモリ２４と、ＲＡＭ２５とを備える。
【００２７】
Ｉ／Ｏインタフェース部２１は、ＣＣＤ７から出力される原稿シート９上の画像情報、原稿シート検知センサ４から出力される原稿シート９の有無に係る検知情報、原稿シート移動量計測部３２から出力される原稿シート９の移動量情報、及び必要に応じて読取ヘッド移動量計測部３６から出力される読取ヘッド３の移動量情報を入力し、それらの情報をＣＰＵ２２に通知する。Ｉ／Ｏインタフェース部２１は、また、外部のホストコンピュータ（図示しない）から伝達される読取ジョブの指令２６を受けて、これを、ＣＰＵ２２に伝える。Ｉ／Ｏインタフェース部２１は、ＣＰＵ２２からの各種指令信号（原稿シート搬送ローラ駆動指令信号、読取ヘッド駆動指令信号、及びＣＣＤ駆動指令信号）を受けて、これら指令信号を、原稿シート搬送ローラ駆動部３０、読取ヘッド駆動部３１、及びＣＣＤ駆動部３４に出力する。
【００２８】
ＲＯＭ２３は、ＣＰＵ２２が実行する演算処理動作を規定した制御プログラム等を内蔵する。
【００２９】
イメージメモリ２４は、ＣＰＵ２２の制御下で、ＣＣＤ７が読み取った原稿シート９における１ライン分、又は複数ライン分のイメージを記憶する。イメージメモリ２４は、ＣＰＵ２２からのデータ読み出し要求に応じて、記憶している上記イメージデータをＣＰＵ２２に出力する。
【００３０】
ＲＡＭ２５は、ＣＰＵ２２の制御下で、原稿読取装置１における各種ステータスや、各種機能設定等を記憶する。ＲＡＭ２５は、ＣＰＵ２２からのデータ読み出し要求に応じて、記憶している各種データをＣＰＵ２２に出力し、ＣＰＵ２２からのデータ書き込み要求に応じてＣＰＵ２２を通じて送られてくるデータを一時的に記憶する。
【００３１】
ＣＰＵ２２は、ＲＯＭ２３に格納されている制御プログラムに基づき、必要に応じてイメージメモリ２４及びＲＡＭ２５に記憶されている各種データを適宜参照しながら、Ｉ／Ｏインタフェース部２１を通じて読み込んだ上記各種情報を用いて、所定の演算処理動作を行う。そして、Ｉ／Ｏインタフェース部２１を通じて、原稿シート搬送ローラ駆動部３０、及び読取ヘッド駆動部３１に制御信号を出力する。なお、ＣＰＵ２２は、例えば、後述する図４に示すようなフローチャートに従って演算処理動作を実行する。
【００３２】
図３は、本発明の一実施形態に係る原稿読取装置１が実行する原稿画像読取動作の一例を示す説明図である。本発明に従う原稿読取装置１では、原稿シート９上の画像情報を読み取るモードとして、「高速モード」と「精細モード」の２つのモードのうちの何れか一方を選択的に設定可能となっている。
【００３３】
図３では、ユーザが高速モードを選択した時の原稿シート９の動きを示している。
【００３４】
図３において、ユーザが大版の原稿シート９の裏面側を上に向けて、該原稿シート９の横手方向一端部を原稿台６の一方の長手方向端部に載置すると、該原稿シート９は、原稿シート搬送ローラ８により、太線矢印方向（Ｙ方向）への搬送が開始される（図３（Ａ））。
【００３５】
該原稿シート９が、太線矢印方向（Ｙ方向）へ移動することで、該原稿シート９の横手方向一端部（始端側）が原稿シート検知センサ４によって検知されると、ライン状に配置された複数のＣＣＤ７が原稿画像読取動作を開始する（図３（Ｂ））。
【００３６】
上記複数のＣＣＤ７による原稿画像読取動作は、原稿シート９が原稿シート搬送ローラ８によって太線矢印方向（Y方向）への移動を継続している間行われ（図３（C））、原稿シート検知センサ４によって、原稿シート９の横手方向他端部（終端側）が通過したことを検知されると終了する（図３（D））。
【００３７】
なお、図３で示した例では、複数のＣＣＤ７を担持した読取ヘッド３は、ホームポジションである図３で示した位置に停止した状態に置かれる。
【００３８】
図４は、原稿読取装置１の原稿画像読取動作が、ユーザによって高速モードに設定された時のコントローラ２の処理動作を示すフローチャートである。図４に示す処理動作においては、コントローラ２は、読取ヘッド移動量計測部３６からの出力情報を読み込む処理は行わない。
【００３９】
図４において、ユーザがＡＤＦ上に原稿シート９を載置することにより、高速モードによる原稿画像読取動作が開始される（ステップＳ１）。コントローラ２は、該原稿画像読取動作が開始されたことを認識すると、読取ヘッド駆動部３１を制御して、読取ヘッド３をそのホームポジションに固定させる（ステップＳ２）。
【００４０】
次に、コントローラ２は、原稿シート搬送ローラ駆動部３０に制御信号を出力することにより、原稿シート搬送ローラ８を駆動することで、原稿シート９の搬送を開始する（ステップＳ３）。原稿シート検知センサ４からの出力信号により、原稿シート９の搬送方向始端側が検知されたことを認識すると（ステップＳ４でＹｅｓ）、コントローラ２は、ＣＣＤ駆動部３４に制御信号を出力することにより、ＣＣＤ７を駆動する（ステップＳ５）。ＣＣＤ７は、原稿シート９上の画像情報を、１ラインずつ読み取り、読み取った画像情報を、コントローラ２に出力する（ステップＳ６）。ステップＳ６にて示した処理動作は、原稿シート検知センサ４が原稿シート９の搬送方向終端側を検知するまでの間、継続される（ステップＳ７にてＮｏ）。
【００４１】
原稿シート検知センサ４が、原稿シート９の搬送方向終端側を検知したことを認識すると（ステップＳ７でＹｅｓ）、コントローラ２は、ＣＣＤ７の駆動を停止すると共に、原稿シート搬送ローラ駆動部３０に駆動停止指令を出力することにより、原稿シート搬送ローラ８の駆動を停止させる（ステップＳ８）。
【００４２】
これにより、画像情報の読み取りを完了した原稿シート９が原稿読取装置１から排出され（ステップＳ９）、一連の処理動作が完了する。
【００４３】
図３及び図４に示した高速モードによる原稿読取動作を実施することにより、原稿シート９上の画像情報を高速で読み取ることが可能になる。
【００４４】
図５及び図６は、本発明の他の実施形態に係る原稿読取装置１が実行する原稿画像読取動作の一例を示す説明図である。図５及び図６では、ユーザが精細モードを選択した時の、原稿台６上における読取ヘッド３、及び原稿シート９の動作を示している。なお、図５において、図５（Ａ）で示した記載内容は、図３（Ａ）で示した記載内容と同一であるので、それらの詳細な説明は省略する。なお、以下に説明する精細モードでの処理動作においては、コントローラ２による読取ヘッド移動量計測部３６からの出力情報を読み取る処理が行われる。
【００４５】
図５及び図６において、原稿シート９が、太線矢印方向（Ｙ方向）へ移動することで、該原稿シート９の横手方向一端部（始端側）が原稿シート検知センサ４によって検知されると、ライン状に配置された複数のＣＣＤ７が原稿画像読取動作を開始する（図５（Ｂ））。
【００４６】
上記複数のＣＣＤ７による原稿画像読取動作は、複数のＣＣＤ７を担持した読取ヘッド３が、太線矢印方向（Ｚ’方向）への移動を継続している間行われる。読取ヘッド３が、太線矢印方向（Ｚ’方向）の端部に到達すると、その移動量が読取ヘッド移動量計測部３６によって計測される（図５（Ｃ））。そして、計測された移動量分だけ、原稿シート搬送ローラ８によって、太線矢印方向（Y方向）へ原稿シート９が移動される（図６（A））。原稿シート搬送ローラ８による原稿シート９の太線矢印方向（Y方向）への移動が終了すると、読取ヘッド３が、太線矢印方向（Ｚ方向）への移動を開始し、複数のＣＣＤ７による原稿画像読取動作が行われる（図６（B））。
【００４７】
図７及び図８は、原稿読取装置１の原稿画像読取動作が、ユーザによって精細モードに設定された時のコントローラ２の処理動作を示すフローチャートである。なお、図７において、ステップＳ２１乃至ステップＳ２４で示した内容は、図４におけるステップＳ１乃至ステップＳ４で示した内容と同一であるので、それらの詳細な説明は省略する。
【００４８】
図７において、原稿シート検知センサ４からの出力信号により、原稿シート９の搬送方向始端側が検知されたことを認識すると（ステップＳ２４でＹｅｓ）、コントローラ２は、原稿シート搬送ローラ駆動部３０に駆動停止指令を出力することにより、原稿シート搬送ローラ８の駆動を停止させる（ステップＳ２５）。
【００４９】
次に、コントローラ２は、ＣＣＤ駆動部３４に制御信号を出力することにより、ＣＣＤ７を駆動させると共に（ステップＳ２６）、読取ヘッド駆動部３１を制御して、読取ヘッド３を駆動させる。これにより、読取ヘッド３は、原稿台６上をＺ−Ｚ’方向の一端側（即ちＺ’側）へ向けて移動しつつ、画像情報の読取動作を実行する（ステップＳ２７）。
【００５０】
コントローラ２は、読取ヘッド移動量計測部３６からの出力信号により、読取ヘッド３が上記一端側まで到達したことを認識すると、原稿シート検知センサ４を通じて、原稿シート９の搬送方向終端側を検知する（ステップＳ２８）。原稿シート検知センサ４からの制御信号に基づいて、原稿シート９の搬送方向終端側が原稿シート検知センサ４の設置位置を通過したことを認識すると（ステップＳ２８でＹｅｓ）、ＣＣＤ駆動部３４に駆動停止指令を出力することによりＣＣＤ７の駆動を停止させると共に、原稿シート搬送ローラ駆動部３０に駆動停止指令を出力することにより、原稿シート搬送ローラ８の駆動を停止させる。これにより、画像情報の読み取りが完了した原稿シート９が、原稿読取装置１から排出され（ステップＳ３５）、一連の処理動作が終了する。
【００５１】
原稿シート９の搬送方向終端側が、原稿シート検知センサ４の設置位置を通過したことを認識しない場合には（ステップＳ２８にてＮｏ）、コントローラ２は、原稿シート搬送ローラ駆動部３０への制御信号の出力を継続することで、原稿シート搬送ローラ８の駆動を再開する（ステップＳ２９）。そして、読取ヘッド３がステップＳ２７で移動した距離よりも、若干少ない距離だけ紙（原稿シート９）送りを行う（ステップＳ３０）。
【００５２】
次に、コントローラ２は、原稿シート搬送ローラ駆動部３０に駆動停止指令を出力することにより、原稿シート搬送ローラ８の駆動を停止させると共に（ステップＳ３１）、原稿シート検知センサ４を通じて、原稿シート９の有／無を検知し、その検知結果をＲＡＭ２５に記憶させる（ステップＳ３２）。
【００５３】
次に、コントローラ２は、読取ヘッド駆動部３１を通じて、読取ヘッド３をそのホームポジション方向に向けて移動させながら、ＣＣＤ７を通じて原稿画像情報の読取動作を実行する（ステップＳ３３）。
【００５４】
この読取動作においては、ステップＳ２７において読み取られた画像情報の一部（読み取られた原稿画像領域の搬送方向終端寄りの部位）が重複して読み取られる。
【００５５】
コントローラ２は、読取ヘッド移動量計測部３６からの出力信号により、読取ヘッド３が上述したＺ側の端に到達したことを認識すると、ＲＡＭ２５に記憶されている内容を参照する。そして、上述した原稿シート９の有／無に係る検知情報をチェックする（ステップＳ３４）。
【００５６】
上記チェックの結果、原稿シート９有りの検知情報が記憶されていることを認識すると、コントローラ２は、ステップＳ２８乃至ステップＳ３４においてそれぞれ示した処理動作を継続する。
【００５７】
一方、上記チェックの結果、原稿シート９無しの検知情報が記憶されていることを認識すると、ＣＣＤ駆動部３４を通じてＣＣＤ７の駆動を停止すると共に、原稿シート搬送ローラ駆動部３０を通じて、原稿シート搬送ローラ８の駆動を停止させる。これにより、画像情報の読み取りを完了した原稿シート９が原稿読取装置１から排出され（ステップＳ３６）、ステップＳ２７及びステップＳ３３において、それぞれ読み取った複数の原稿画像情報同士を合成した後（ステップＳ３７）、一連の処理動作が完了する。
【００５８】
図５、図６、図７及び図８に示した精細モードによる原稿読取動作を実施することにより、原稿シート９上の画像情報を精細に読み取ることが可能になる。
【００５９】
図９及び図１０は、図７及び図８で示した精細モードの変形例を示す説明図である。図９では、ユーザが本実施形態に係る精細モードを選択した時の、原稿台６上における読取ヘッド３及び原稿シート９の動作を示している。なお、図９において、図９（Ａ）、図９（Ｂ）及び図９（Ｄ）で示した記載内容は、図５及び図６において示した記載内容と同一であるので、それらの詳細な説明は省略する。
【００６０】
図９において、原稿シート９が、太線矢印方向（Ｙ方向）へ移動することで、該原稿シート９の横手方向一端部（始端側）が原稿シート検知センサ４によって検知されると、ライン状に配置された複数のＣＣＤ７を担持した読取ヘッド３が、太線矢印方向（Ｚ’方向）への移動を開始し、太線矢印方向（Ｚ’方向）の端部に到達すると、その移動量が読取ヘッド移動量計測部３６によって計測される。そして、計測された移動量分だけ、原稿シート搬送ローラ８によって、太線矢印方向（Y方向）へ原稿シート９が移動されるのとほぼ同時に、読取ヘッド３の、そのホームポジションへの移動が開始される（図９（Ｃ））。
【００６１】
図１０及び図１１は、図７及び図８で示した精細モードの変形例における、コントローラ２の処理動作を示すフローチャートである。なお、図１０、及び図１１において、ステップＳ４１乃至ステップＳ４９、及びステップＳ５１乃至ステップ５２で示した内容は、図７及び図８におけるステップＳ２１乃至ステップＳ２９、及びＳ３６乃至ステップＳ３７で示した内容と同一であるので、それらの詳細な説明は省略する。
【００６２】
図１１において、コントローラ２は、ステップＳ５０で示した処理動作を実行するに際して、読取ヘッド３が移動した距離よりも、若干少ない距離だけ紙（原稿シート９）送りするのとほぼ同時に、読取ヘッド３をホームポジションに戻すための制御を実行する。
【００６３】
但し、図１０で示した処理動作では、図８のステップＳ３３で示した処理動作とは異なり、ステップＳ４７で示した原稿画像の読取動作においては、重複して読み取られる原稿画像領域の部位が、その搬送方向始端寄りの部位となる。
【００６４】
以上、本発明の実施形態を説明したが、この実施形態は本発明の説明のための例示にすぎず、本発明の範囲をこの実施形態にのみ限定する趣旨ではない。本発明は、その要旨を逸脱することなく、その他の様々な態様でも実施することができる。
【００６５】
上述した各実施形態においては、外部のホストコンピュータ（図示しない）から伝送される読取ジョブ指令２６に基づいて、コントローラ２が原稿シート９上の画像情報の読み取りに係る処理動作を実行することとしたが、原稿読取装置１の操作部（図示しない）を通じてユーザから与えられる指令に基づいて、コントローラ２が上記処理動作を実行するようにしても差支えない。
【図面の簡単な説明】
【００６６】
【図１】本発明の一実施形態に係る原稿読取装置の要部の構成を示す概略の平面図。
【図２】図１に記載の原稿読取装置が備えるコントローラの構成を示す機能ブロック図。
【図３】図１に記載の原稿読取装置が実行する原稿画像読取動作の一例を示す説明図。
【図４】図１に記載の原稿読取装置の原稿画像読取動作が、ユーザによって高速モードに設定された時のコントローラの処理動作を示すフローチャート。
【図５】本発明の他の実施形態に係る原稿読取装置が実行する原稿画像読取動作の一例を示す説明図。
【図６】本発明の他の実施形態に係る原稿読取装置が実行する原稿画像読取動作の一例を示す説明図。
【図７】図１に記載の原稿読取装置の原稿画像読取動作が、ユーザによって精細モードに設定された時のコントローラの処理動作を示すフローチャート。
【図８】図１に記載の原稿読取装置の原稿画像読取動作が、ユーザによって精細モードに設定された時のコントローラの処理動作を示すフローチャート。
【図９】図７、及び図８で示した精細モードの変形例を示す説明図。
【図１０】図７及び図８で示した精細モードの変形例におけるコントローラの処理動作を示すフローチャート。
【図１１】図７及び図８で示した精細モードの変形例におけるコントローラの処理動作を示すフローチャート。
【符号の説明】
【００６７】
１…原稿読取装置、２…コントローラ、３…読取ヘッド、４…原稿シート検知センサ、５…ガイドレール、６…原稿台、７…ＣＣＤ（イメージセンサ）、８…原稿シート搬送ローラ、９…原稿シート、２１…Ｉ／Ｏインタフェース部、２２…ＣＰＵ、２３…ＲＯＭ、２４…イメージメモリ、２５…ＲＡＭ、２６…読取ジョブ指令、３０…原稿シート搬送ローラ駆動部、３１…読取ヘッド駆動部、３２…原稿シート移動量計測部、３４…ＣＣＤ駆動部、３６…読取ヘッド移動量計測部。
【図１】
2007208907.tif 000003
【図２】
2007208907.tif 000004
【図３】
2007208907.tif 000005
【図４】
2007208907.tif 000006
【図５】
2007208907.tif 000007
【図６】
2007208907.tif 000008
【図７】
2007208907.tif 000009
【図８】
2007208907.tif 000010
【図９】
2007208907.tif 000011
【図１０】
2007208907.tif 000012
【図１１】
2007208907.tif 000013